【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
患者に吸気ガスを供給するコンジットであって、
ガス供給源に接続される第１の端部と、
患者インターフェースに接続される第２の端部と、
患者に対するガス流を形成する前記コンジットの壁と、
前記第１の端部から前記第２の端部にわたる長手方向にわたって、少なくとも一部に延在し前記コンジットの内部又は周りに配置されたワイヤと、
前記第２の端部に配置され、前記ガス流の少なくとも一つの特性を測定するように構成されたガスの特性を測定するセンサと、を有し、
前記ガスの特性を測定するセンサは、前記ワイヤと接続され、前記ガス流の少なくとも一つの特性を測定可能とするように、前記ガス流内であってハウジング内に配置されていることを特徴とするコンジット。
【請求項２】
前記ガスの特性を測定するセンサは、サーミスタ及び容量性センサの少なくとも一つを含む、請求項１に記載のコンジット。
【請求項３】
前記ガスの特性を測定するセンサは、圧力、組成及び湿度の少なくとも一つを測定する、請求項１に記載のコンジット。
【請求項４】
少なくとも一部が、プラスチック成形物である前記ハウジングの内部に配置される回路板を有する、請求項３に記載のコンジット。
【請求項５】
前記回路板は、少なくとも一部がコンジットの壁に成形される、請求項４に記載のコンジット。
【請求項６】
前記コンジットの長手方向の一部が、実質的に前記コンジットの長さに相当する、請求項１に記載のコンジット。
【請求項７】
ガス供給源と、
前記ガス供給源に接続され患者へのガス流を形成するように構成されたコンジットと、
前記コンジットの長さ方向に配置されたワイヤと、
前記ワイヤに接続された電気回路と、を有し、
前記電気回路は、前記ガス流の少なくとも一つの特性を示す信号を、前記ワイヤによってコントローラに出力するように構成され、前記コントローラは、前記ガス流の少なくとも一つの特性を決定するように構成され、少なくとも前記電気回路の一部は前記ガス流の中に配置され、
前記電気回路の一部はオーバーモールドされ、前記オーバーモールドは前記コンジットの前記ガス流の中に拡張されていることを特徴とする患者に供給されるガスの特性を測定する装置。
【請求項８】
前記オーバーモールドは、前記コンジットの壁から前記ガス流の中に突出するハウジングを含む、請求項７に記載の装置。
【請求項９】
前記ハウジングは、前記コンジットの壁を超えて突出している、請求項８に記載の装置。
【請求項１０】
前記電気回路は、前記コンジットの壁に少なくとも一部が含まれている、請求項７に記載の装置。
【請求項１１】
前記電気回路は、サーミスタ、抵抗器及び容量性センサの少なくとも一つを含む、請求項７に記載の装置。
【請求項１２】
前記サーミスタ、前記抵抗器及び前記容量性センサの少なくとも一つは、前記コンジットの壁によって形成される管の中央又は中央付近に配置され、前記ガス流は前記管によって提供される、請求項１１に記載の装置。
【請求項１３】
前記電気回路は、回路板上に配置され、前記オーバーモールドは前記回路板の少なくとも一部を囲む、請求項７に記載の装置。
【請求項１４】
前記電気回路は、前記ガス流の中に配置される回路板に設けられている、請求項７に記載の装置。
【請求項１５】
前記電気回路は、前記ガス流の、温度、圧力、組成及び湿度の少なくとも一つを測定する、請求項７に記載の装置。
【請求項１６】
前記コンジットは、第１の端部が前記ガス供給源と接続され、第２の端部が患者インターフェースと接続され、前記患者インターフェースは患者への前記ガス流を提供し、前記コンジットの全長は、実質的に前記第１の端部から前記第２の端部までの長さである、請求項７に記載の装置。
【請求項１７】
前記オーバーモールドは、前記第２の端部又はその付近に配置される、請求項１６に記載の装置。
【請求項１８】
前記ガス特性センサは前記回路板上にある、請求項１に記載のコンジット。
【請求項１９】
前記ハウジングは、前記コンジットの壁を超えて突出している、請求項１に記載のコンジット。
【請求項２０】
前記ガスの特性を測定するセンサは、前記管の径方向の中央又は付近に配置されている、請求項１に記載のコンジット。
【請求項２１】
前記ワイヤと、前記ガスの特性を測定するセンサとに並列に接続されるダイオードをさらに含み、電気回路に、第１の極性の電流が前記ワイヤに印加されるとき、前記第１の極性の電流は、前記ダイオードを介して前記ワイヤに流れ、前記コンジットを加熱し、
前記第１の極性と逆極性の第２の極性の電流が前記ワイヤに印加されるとき、前記第２の極性の電流は、前記ダイオードに流れず、前記ガスの特性を測定するセンサに流れる、請求項１に記載のコンジット。
【請求項２２】
前記ダイオードは、前記第２の端部に配置される、請求項２１に記載のコンジット。
【請求項２３】
前記ワイヤと接続され、前記ガスの特性を測定するセンサに対し直列に接続される第１のフィルタを有し、前記第１のフィルタは、前記ワイヤを介して駆動される第１の周波数帯の電気信号が通過するように構成され、
前記第２の端部に配置され、前記ガス流の少なくとも一つの他の特性を測定するように構成された第２のガスの特性を測定するセンサを有し、前記第２のガスの特性を測定するセンサは、前記ガスの特性を測定するセンサに対し並列に接続されるように前記ワイヤと接続され、
前記第２のガスの特性を測定するセンサは、前記ガス流の少なくとも一つの他の特性を測定するように、前記ガス流の内の中であって前記ハウジングの内部に配置され、
前記ワイヤと接続され、前記第２のガスの特性を測定するセンサに対し直列に接続される第２のフィルタを有し、前記第２のフィルタは、前記ワイヤを介して駆動される第２の周波数帯の電気信号を通過するように構成され、
前記第１の周波数帯の電気信号は、前記ガス流の少なくとも一つの特性を測定するのに用いられ、前記第２の周波数帯の電気信号は、前記ガス流の少なくとも一つの他の特性を測定するのに用いられる、請求項１に記載のコンジット。
【請求項２４】
前記ワイヤと電気的に接続され、前記第１のフィルタ及び前記第２のフィルタと並列に配設される第３のフィルタを有し、前記第３のフィルタは前記ワイヤを介して駆動される第３の周波数帯の電気信号を通過させ、前記第３の周波数帯の電気信号は、前記ワイヤを介して前記コンジットを加熱する、請求項１に記載のコンジット。
【請求項２５】
前記ガスの特性を測定するセンサは、抵抗器と容量センサとを含む、請求項２に記載のコンジット。
【請求項２６】
前記プラスチック成形物は、前記コンジットの壁から突出し、前記ガス流の中にある、請求項４に記載のコンジット。
【請求項２７】
前記ガス供給源は、前記ガス流の少なくとも一つの特性を決定するように構成されるコントローラを含む、請求項７に記載の装置。
【請求項２８】
前記電気回路はセンサとダイオードをさらに含み、前記センサは、前記ガス流の少なくとも一つの特性を示す信号を、前記ワイヤを介して前記コントローラに提供するように構成され、
前記ダイオードは前記センサと並列に接続され、
第１の極性の電流が前記ワイヤに印加されるとき、前記コンジットを加熱するように前記ダイオードを介して前記ワイヤに前記第１の極性の電流が供給され、
前記第１の極性とは逆極性の第２の極性の電流が前記ワイヤに印加されるとき、前記第２の極性の電流は、前記センサに流れ、前記ダイオードには流れない、請求項７に記載の装置。
【請求項２９】
前記ダイオードは、前記コンジットの第２の端部に配置され、前記第２の端部は患者インターフェースに接続されている、請求項２８に記載の装置。
【請求項３０】
前記コントローラは、前記ワイヤを介して前記センサと電気的に接続される基準抵抗器を含み、前記第２の極性の電流が前記ワイヤに印加され、前記第２の極性の電流が前記ワイヤに流れるとき、前記コントローラは、前記基準抵抗器によって前記ガス流の少なくとも一つの特性を決定するように構成される、請求項２８に記載の装置。
【請求項３１】
前記第１のセンサと直列に電気的に接続された第１のフィルタを有し、前記第１のフィルタは、前記ワイヤを介して駆動される第１の周波数帯の第１の信号を通過するように構成され、前記第１の信号は前記第１の周波数帯に属し、
前記ガス流の少なくとも一つの特性である第２の特性を示す第２の信号を、前記ワイヤを介して前記コントローラに提供するように構成された第２のセンサを有し、前記第２のセンサは、前記第１のセンサと電気的に並列に接続され、
前記第２のセンサと直列に電気的に接続された第２のフィルタを有し、前記第２のフィルタは、前記ワイヤを介して駆動される第２周波数帯の前記第２の信号を通過するように構成され
前記第１のセンサ及び前記第２のセンサと並列に電気的に接続された第３のフィルタを有し、
前記第３のフィルタは、前記ワイヤを介して駆動される第３の周波数帯を通過するように構成され、前記第３の周波数帯は、前記ワイヤによって前記コンジットを加熱する、請求項７に記載の装置。
【請求項３２】
前記ワイヤに電気的に接続された第１の基準抵抗器を有し、前記第１基準抵抗器は、前記ガスの流れの少なくとも一つの第１の特性を決定する前記コントローラに連結され、
前記ワイヤに電気的に接続され、前記第１の周波数帯の前記第１の信号を、前記第１の基準抵抗器に印加されるように構成された第４のフィルタと、
前記ワイヤに電気的に接続された第２の基準抵抗器を有し、前記第２の基準抵抗器は、前記ガス流の少なくとも一つの第２の特性を決定する前記コントローラに連結され、
前記ワイヤに電気的に接続され、前記第２の周波数帯の前記第２の信号を、前記第２の基準抵抗器を通過するように構成された第５のフィルタと、
を有する、請求項３１に記載の装置。
【請求項３３】
前記サーミスタ、前記抵抗器及び前記容量性センサの少なくとも一つは、前記コンジットの壁によって形成される管の中央又はその付近に配置され、前記ガス流は前記管を介して提供される、請求項１１に記載の装置。